(57)【要約】【課題】クールダウン時間を必要に応じて適宜短縮することを可能にしたプロジェクタを提供する。【解決手段】操作部２０と、光源ランプ１３及び投射光学系１６を備え、映像を拡大投射する映像投射部と、光源ランプ１３に送風して冷却するための冷却ファン１７と、電源オフの操作信号が入力すると、光源ランプ１３を消灯させるとともに、冷却ファン１７の駆動をクールダウン時間継続させた後に停止させるコントローラ１０とを備える。コントローラ１０は、例えば電源スイッチが連打されたときにはクールダウン時間を短くし、電源スイッチが通常の操作の場合にはクールダウン時間を通常どおりに設定する。【選択図】図１
2008216673.tif 000002
【特許請求の範囲】
【請求項１】
各種の操作信号を入力するための操作手段と、
少なくとも光源及び投射光学系を備え、映像を拡大投射する映像投射部と、
前記光源に送風して冷却するための冷却ファンと、
前記操作手段から電源オフの操作信号が入力すると、前記光源の駆動を停止させるとともに、前記冷却ファンの駆動を所定時間継続させた後に停止させる制御部とを備え、
前記制御部は、電源オフの操作信号の態様に応じて前記所定時間を変更することを特徴とするプロジェクタ。
【請求項２】
前記制御部は、電源オフの操作信号が第１の操作信号に相当するときは、前記所定時間を第１の所定時間Ｔ１に設定し、電源オフの操作信号が第２の操作信号に相当するときは、前記所定時間を第２の所定時間Ｔ２（但し、Ｔ２＜Ｔ１）に設定することを特徴とする請求項１記載のプロジェクタ。
【請求項３】
前記制御部は、電源オフの操作信号が前記第２の操作信号のときに、その信号の態様に応じて前記第２の所定時間Ｔ２を変更することを特徴とする請求項２記載のプロジェクタ。
【請求項４】
前記制御部は、前記光源のランプ寿命時間を求め、当該寿命時間が所定の基準時間以下の場合には前記第２の所定時間Ｔ２を第３の所定時間Ｔ３（Ｔ３＞Ｔ２）に変更することを特徴とする請求項２又は３記載のプロジェクタ。
【請求項５】
表示手段を更に備え、
前記制御部は、前記ランプ寿命時間が前記基準時間以下の場合にはその旨を前記表示手段に表示させることを特徴とする請求項４記載のプロジェクタ。
【発明の詳細な説明】
【技術分野】
【０００１】
本発明はプロジェクタに関し、特に、クールダウンの処理に関する。
【背景技術】
【０００２】
プロジェクタは、その電源スイッチをオフ操作して光源ランプを消灯した後に、光源ランプを冷却するためのクールダウン期間が設けられている。このクールダウン期間には冷却ファンが消灯後の光源ランプに冷却風を送風して光源ランプを冷却している（例えば特許文献１〜特許文献３参照）
【特許文献１】特開２００４−２１１０３号公報
【特許文献２】特開２００３−２４８２６９号公報
【特許文献３】特開２００２−２８７２４９号公報
【発明の開示】
【発明が解決しようとする課題】
【０００３】
プロジェクタの光源ランプは適切なクールダウン（冷却）の処理を行わないとランプ寿命が低下してしまうので、上記のように、光源ランプを消灯した後に光源ランプを冷却するためのクールダウン期間が設けられている。一方では、プロジェクタのユーザビリティの観点から、クールダウン時間の短縮が求められている。つまり、クールダウン時間の短縮とランプ寿命のトレードオフが生じており、従来のプロジェクタは両方のニーズに応えられていなかった。
【０００４】
本発明は、このような問題点を解決するためになされたものであり、クールダウン時間を必要に応じて適宜短縮することを可能にしたプロジェクタを提供することを目的とする。
【課題を解決するための手段】
【０００５】
本発明に係るプロジェクタは、各種の操作信号を入力するための操作手段と、少なくとも光源及び投射光学系を備え、映像を拡大投射する映像投射部と、前記光源に送風して冷却するための冷却ファンと、前記操作手段から電源オフの操作信号が入力すると、前記光源の駆動を停止させるとともに、前記冷却ファンの駆動を所定時間継続させた後に停止させる制御部とを備え、前記制御部は、電源オフの操作信号の態様に応じて前記所定時間を変更する。本発明においては、前記操作手段から電源オフの操作方法に応じて、前記所定時間（クールダウン時間）を変更することができる。例えば前記所定時間（クールダウン時間）を短くしたいときには例えば電源スイッチを連打し、前記所定時間（クールダウン時間）を短くし、前記所定時間（クールダウン時間）を通常どおりにするときには電源スイッチを通常のオフ操作する。このようにして、前記所定時間（クールダウン時間）を適宜変更することができる。このように電源スイッチの操作信号の態様に応じて前記所定時間（クールダウン時間）を適宜変更することができるので、急いでいる場合とそうでない場合とを使い分けることができ、クールダウン時間の短縮とランプ寿命のトレードオフという問題が解決されている。
【０００６】
本発明に係るプロジェクタにおいて、前記制御部は、電源オフの操作信号が第１の操作信号に相当するときは、前記所定時間を第１の所定時間Ｔ１に設定し、電源オフの操作信号が第２の操作信号に相当するときは、前記所定時間を第２の所定時間Ｔ２（但し、Ｔ２＜Ｔ１）に設定する。本発明においては、電源オフの操作信号が第１の操作信号又は第２の操作信号に相当するときは、前記所定時間（クールダウン時間）を第１の所定時間Ｔ１又は第２の所定時間Ｔ２（但し、Ｔ２＜Ｔ１）に設定しており、急いでいる場合とそうでない場合とで、前記所定時間（クールダウン時間）を適宜使い分けることができる。
【０００７】
本発明に係るプロジェクタにおいて、前記制御部は、電源オフの操作信号が第２の操作信号の態様に応じて第２の所定時間Ｔ２を更に変更するものである。本発明においては、例えば電源スイッチを連打したときにその間隔が短いときには、特に急いでいるものとして、第２の時間Ｔ２を更に短くすることにより、ユーザーの使用感覚と一致させるようにしており、使い勝手の良いものとなっている。
【０００８】
本発明に係るプロジェクタにおいて、前記制御部は、光源のランプ寿命時間を求め、当該寿命時間が所定の基準時間以下の場合には前記第２の所定時間Ｔ２を第３の所定時間Ｔ３（Ｔ３＞Ｔ２）に変更するものである。本発明においては、光源のランプ寿命時間が所定の基準時間以下の場合には、前記所定時間（クールダウン時間）の短縮に制約を加えて、光源ランプの寿命の短縮化が加速化しないようにしている。
【０００９】
本発明に係るプロジェクタは表示手段を更に備え、前記制御部は、前記ランプ寿命時間が所定の基準時間以下の場合にはその旨を前記表示手段に表示させる。前記所定時間（クールダウン時間）の短縮化は光源ランプの寿命を短くさせることになるので、ユーザーに通常のクールダウンによる動作をさせるように促すことで、光源ランプの寿命の短縮化に歯止めをかけるようにしている。
【発明を実施するための最良の形態】
【００１０】
図１は、本発明の実施形態１に係るプロジェクタの構成を示すブロック図である。
このプロジェクタ１は、プロジェクタ１の動作全体を制御するコントローラ１０と、光変調装置としての液晶パネル１１と、外部から供給される映像信号ＶＳ１に従って、液晶パネル１１を制御する映像信号処理部１２と、光源ランプ１３を有し、交換可能に設けられた光源ランプユニット１４とを備えている。プロジェクタ１は、更に、光源ランプ１３を駆動するランプ駆動部１５と、光源ランプ１３から射出された光が液晶パネル１１により変調された光をスクリーンＳＣ上に投射する投射光学系１６とを備えている。これらの液晶パネル１１、光源ランプユニット１４及び投射光学系１６は本発明の映像投射部を構成している。
【００１１】
また、プロジェクタ１は、光源ランプ１３を冷却するための冷却ファン１７および冷却ファン１７を駆動するファン駆動部１８を備えている。さらに、プロジェクタ１は、コントローラ１０に各種の操作信号を入力するための操作部２０を備えており、これには電源スイッチ２０ａを含む各種の操作スイッチや、プロジェクタの状態を示すためのＬＥＤランプ２０ｂ等が設けられている。なお、このＬＥＤランプ２０ｂは本発明の表示手段を構成している。更に、コントローラ１０には、クールダウン時間を計測するタイマ２１や各種のデータを保持する不揮発性の記憶装置２２が接続されている。
【００１２】
コントローラ１０は、ＣＰＵやＲＯＭ、ＲＡＭ等のメモリを含むコンピュータで構成されており、ＲＯＭ内に格納された種々のプログラムに従って、プロジェクタ１の全体の動作、例えば、映像信号処理部１２、ランプ駆動部１５、ファン駆動部１８、ＬＥＤ２０ｂ、タイマ２１、記憶装置２２の各動作を制御する。なお、コントローラ１０、ランプ駆動部１５及びファン駆動部１８は本発明の制御部を構成している。
【００１３】
液晶パネル１１は、光源ランプ１３から射出した光を変調する空間光変調装置としての３枚の液晶ライトバルブから構成されており、Ｒ（赤）、Ｇ（緑）、Ｂ（青）の各色光を変調する。光源ランプ１３から射出した光は、図示しない色光分離光学系によって各色光に分離された後、対応する液晶ライトバルブによって変調され、合成光学系（図示せず。例えばクロスダイクロックプリズム）により合成された後に、投射光学系１６により拡大投射される。
【００１４】
映像信号処理部１２は、例えばマイクロプロセッサ（例えばＤＳＰ）等の信号処理回路から構成され、それに内蔵した記憶部に格納された制御プログラムを実行することにより後述の各種の処理をする。具体的には、外部の映像信号供給装置からの映像信号を取り込んで、それが例えばアナログの映像信号の場合にはデジタルの映像信号に変換する等、入力映像信号に対応した各種信号処理を施し、その映像信号を１フレーム（１映像画面）毎にフレームメモリ（図示せず）に記憶させるとともに、フレームメモリに記憶された映像（以下、フレーム映像ともいう）を読み出す機能を有するとともに、映像信号の解像度を液晶パネル１１の解像度に合わせる解像度変換処理等の各種の信号処理を施す機能を有する。また、この映像信号処理部１２は、ＯＳＤ処理部をする機能を備えており、コントローラ１０の制御命令に従って、プロジェクタ１の各種状態を表す文字や記号、画質調整を行う際のメニュー映像のＯＳＤ映像信号をフレーム映像信号と合成する処理を行う。具体的には、コントローラ１０が例えば記憶装置２２からメニュー映像データ等を読み出して映像信号処理部１２に供給し、映像信号処理部１２はそのメニュー映像データによりＯＳＤ映像信号を生成し、このＯＳＤ映像信号をフレーム映像信号と合成する。ＯＳＤ処理をしない場合には、フレーム映像信号がそのまま出力されることになる。上記のＯＳＤ処理によりメニュー画像が表示されると、ユーザーはメニュー画像に従ってプロジェクタ１の各部の機能を設定又は調整することになる。映像信号処理部１２はこのようにして生成した映像信号に基づいて液晶パネル１１を駆動する
【００１５】
また、コントローラ１０は、操作部２０の電源スイッチ２０ａがオン操作されると、ランプ駆動部１５を駆動して光源ランプ１３を点灯させるとともに、ファン駆動部１８を駆動して冷却ファン１７を回転させて光源ランプ１３に冷却風を送る。また、コントローラ１０は、映像信号処理部１２を起動し、映像信号処理部１２は入力した映像信号に各種の処理を施してフレーム映像信号を生成し、それにより液晶パネル１１を駆動する。液晶パネル１１にはフレーム映像信号に対応した映像が描画される。光源ランプ１３から射出した光は、液晶パネル１１に描画された映像によって変調され、合成光学系（図示せず。例えばクロスダイクロックプリズム）により合成された後に、投射光学系１６により拡大投写される。これによりスクリーンＳＣに映像が投写される。このとき、コントローラ１０は、このランプ駆動部１５の駆動時間をタイマ２１に計測させて、適当なタイミングで光源ランプ１３の寿命を求めて記憶装置２２に格納する。即ち、光源ランプ１３の寿命はその点灯時間の関数として表現されるので、ランプ駆動部１５の駆動時間を光源ランプ１３の点灯時間と見なしてその寿命を求める。このようにして映像がスクリーンＳＣに投写されている状態において、例えばユーザーが電源スイッチ２０ａのオフ操作をすると、ランプ駆動部１５による駆動を停止させて光源ランプ１３を消灯させるとともに、次の図２に示されるようなクールダウンの処理がなされる。
【００１６】
図２は電源スイッチ２０ａがオフ操作されたときのクールダウンの処理を示すフローチャートである。
コントローラ１０は、操作部２０の電源スイッチ２０ａのオフ操作信号を入力すると（Ｓ１１）、電源スイッチ２０ａが所定時間内に２回以上連続して押されているかどうかを判定する（Ｓ１２）。コントローラ１０は、入力された操作信号に基づいて電源スイッチ２０ａが連続して押されておらず通常の操作をしているものと判定すると、その操作信号は通常の操作信号（第１の操作信号）であると判定し、例えばクールダウン時間Ｔ１＝１５秒と設定し（Ｓ１３）、ファン駆動部１８によりクールダウン時間に応じた駆動電圧で冷却ファン１７の駆動を継続する（Ｓ１４）。この場合は通常の電源スイッチ２０ａのオフ操作なので、駆動電圧はそれまでの駆動電圧と同一にし、変更しないものとする。
【００１７】
コントローラ１０は、タイマ２１にクーリングダウンの時間の計測を開始させて、上記の設定されたクールダウン時間が経過するまで冷却ファン１７の駆動を継続させる。このとき、ＬＥＤ２０ｂを例えば点滅点灯させて、クーリングダウンの処理がなされていることをユーザーに知らせる。また、コントローラ１０は、この段階では、電源スイッチ２０ａがオフ操作をしてもその操作信号を受け付けないようにする。コントローラ１０は、タイマ２１による計測時間が設定された時間に到達すると（Ｓ１５）、ファン駆動部１８による冷却ファン１７の駆動を停止させるとともに、電源回路（図示せず）を遮断する（Ｓ１６）。
【００１８】
また、コントローラ１０は、上記の判定（Ｓ１２）において入力された操作信号に基づいて電源スイッチ２０ａが所定時間内に連続して２回以上押されたものと判定すると、その操作信号は緊急用の操作信号（第２の操作信号）であると判定する。そして、ここでは、その操作信号（第２の操作信号）の態様（信号形態）から電源スイッチ２０ａの押下の間隔が所定の時間よりも短いかどうかを判定し（Ｓ１７）、短くないという判定をすると、例えばクールダウン時間Ｔ２＝８秒に設定し（Ｓ１８）、短いという判定をすると例えばクールダウン時間Ｔ２＝５秒に設定する（Ｓ１９）。なお、上記の判定（Ｓ１７）においては、操作信号の回数（連打の回数）に基づいて判定してもよい。
【００１９】
次に、コントローラ１０は、このような緊急用処理の回数を計測するために、記憶装置２２に予め記憶されている回数Ｎを読み込んで、Ｎ＝Ｎ＋１とインクリメントして記憶装置２２に格納する（Ｓ２０）。コントローラ１０は、記憶装置２２に記憶されている光源ランプの寿命を読み込んで、その寿命が所定の基準時間（ここで、基準時間とは、例えば通常の使用態様のランプ寿命に対してユーザーによって設定される割合）以下になっているかどうかを判定し（Ｓ２１）、その寿命が所定の基準時間以下になっている場合には、クールダウンの時間が短いのは好ましくないので、上記のクールダウン時間Ｔ２を変更し、例えばＴ２＝１０秒に設定する（Ｓ２２）。このときは、例えばＬＥＤランプ２０ｂを上記とは異なった形式で点滅表示させることにより光源ランプ１３の寿命の制約があることを知らせる。以上のようにしてクールダウン時間Ｔ２が設定されると、コントローラ１０は、ファン駆動部１８によりクールダウン時間に応じた駆動電圧で冷却ファン１７の駆動を継続する（Ｓ１４）。この場合には、緊急用（クーリング時間の短縮）なので、駆動電圧をそれまでの駆動電圧よりも高くして駆動するものとする。
【００２０】
コントローラ１０は、タイマ２１にクーリングダウンの時間の計測を開始させて、上記の設定されたクールダウン時間が経過するまで冷却ファン１７の駆動を継続させる。このとき、ＬＥＤ２０ｂを点滅点灯させて、クーリングダウンの処理がなされていることをユーザーに知らせる。また、コントローラ１０は、この段階では、電源スイッチ２０ａがオフ操作をしてもその操作信号を受け付けないようにする。コントローラ１０は、タイマ２１による計測時間が設定された時間に到達すると（Ｓ１５）、ファン駆動部１８による冷却ファン１７の駆動を停止させるとともに、電源回路（図示せず）を遮断する（Ｓ１６）。
【００２１】
以上のように本実施形態において、コントローラ１０は、電源オフの操作信号が連続した信号の形態であるかどうかによってクールダウン時間を変更することができる。即ち、電源オフの操作信号が通常の操作信号（第１の操作信号）に相当するときは、クーリングダウン時間をＴ１に設定し、電源オフの操作信号が緊急用の操作信号（第２の操作信号）に相当するときは、クーリングダウン時間をＴ２（但し、Ｔ２＜Ｔ１）に設定しており、急いでいる場合とそうでない場合とで、クールダウン時間を適宜使い分けることができる。
【００２２】
また、電源オフの操作信号が緊急用の操作信号（第２の操作信号）であるときに、その信号の態様に応じてＴ２を更に変更するようにしており、例えば電源スイッチ２０ａを連打したときにその間隔が短いときには（又はその回数が多いとき）、特に急いでいるものとして、時間Ｔ２を更に短くすることにより、ユーザーの使用感覚と一致させるようにしており、使い勝手の良いものとなっている。
【００２３】
また、光源ランプ１３の寿命時間が所定の基準時間以下の場合にはＴ２をＴ３（Ｔ３＞Ｔ２）に変更しており、これによりクールダウン時間の短縮に制約を加えて、光源ランプ１３の寿命の短縮化が加速化しないようにしている。また、上記の説明においては緊急処理の回数Ｎを計測したが、これは後日その緊急処理の頻度を把握したり、或いは、上記の処理（Ｓ２１）において寿命の代わりに、その頻度が多い場合に緊急処理のクールダウン時間の短縮に制約を加えるのに利用することができる。
【００２４】
また、ランプ寿命時間が所定の基準時間以下の場合にはその旨をＬＥＤランプ２０ｂに表示させており、ユーザーに通常のクールダウンの操作を促すことで、光源ランプの寿命の短縮化に歯止めをかけることを可能にしている。
【図面の簡単な説明】
【００２５】
【図１】実施形態１に係るプロジェクタの構成を示すブロック図である。
【図２】クーリングダウンの処理を示すフローチャートである。
【符号の説明】
【００２６】
１０ コントローラ、１１ 液晶パネル、１２ 映像信号処理部、１３ 光源ランプ、１４ 光源ランプユニット、１５ ランプ駆動部、１６ 投射光学系、１７ 冷却ファン、１８ ファン駆動部、２０ 操作部、２０ａ 電源スイッチ、２０ｂ ＬＥＤランプ、２１ タイマ、２２ 記憶装置。
【図１】
2008216673.tif 000003
【図２】
2008216673.tif 000004